(57)【要約】【課題】電車に乗って移動するユーザが、事前にスケジュール登録した目的駅に到着したことを自動で検知し、到着を検知する際の位置測定回数を減らすことが可能なモバイル端末等を提供する。【解決手段】  モバイル端末２にて駅経路が探索されると、モバイル端末２は探索結果をスケジュール情報として登録する。次に、モバイル端末２は、場所管理サーバ１からスケジュール登録された目的駅のエリア範囲を受信し、登録する。続いて、モバイル端末２は、モバイル端末２の加速度センサー２７が、移動中の電車の停車に相当する急激な変化を検知した後に、ある一定時間、モバイル端末２の加速度センサー２７が急激な変化を検知しない場合、モバイル端末２のＧＰＳ部２６より所在地の位置情報を取得し、取得した位置情報が登録される目的駅のエリア範囲内にあるか否かを判定する。【選択図】図１
2014183525.tif 000002
【特許請求の範囲】
【請求項１】
電車に乗って移動するユーザが目的駅に到着したことを検知するモバイル端末であって、
前記目的駅の位置情報及び範囲情報を記憶する到着予定情報記憶手段と、
加速度を検知する加速度検知手段と、
検知した前記加速度の大きさが、第１の所定値以上か否かを判定する第１の判定手段と、
前記第１の所定値以上と判定した場合に、所定の時間内、検知した前記加速度の大きさが、第２の所定値以下か否かを判定する第２の判定手段と、
前記第２の所定値以下と判定した場合に、当該モバイル端末の位置情報を取得する位置情報取得手段と、
取得した前記位置情報が、前記目的駅の範囲内にあるか否かを判定する第３の判定手段と、
を備えることを特徴とするモバイル端末。
【請求項２】
前記到着予定情報記憶手段は、さらに、前記目的駅への到着予定日を記憶し、
さらに、
前記第２の判定手段が前記第２の所定値以下と判定した場合に、前記到着予定日が今日の日付と一致するか否かを判定する第４の判定手段、を備える
ことを特徴とする請求項１に記載のモバイル端末。
【請求項３】
前記位置情報取得手段は、ＧＰＳ衛星と通信することで、当該モバイル端末の位置情報を取得する
ことを特徴とする請求項１又は請求項２に記載のモバイル端末。
【請求項４】
前記モバイル端末は、
駅ごとに、駅名と当該駅の駅内又は周辺に位置する店舗に関する特典情報とを対応付けて記憶する特典情報記憶手段と、
前記モバイル端末から前記目的駅の駅名を受信する受信手段と、
受信した前記駅名に対応する前記特典情報を、前記モバイル端末に配信する特典情報配信手段と、
を備える特典情報配信サーバと、ネットワークを介して接続され、
さらに、
前記第３の判定手段が前記目的駅の範囲内にあると判定した場合に、当該目的駅の駅名を、前記特典情報配信サーバに送信する送信手段と、
前記特典情報配信サーバから、前記特典情報を受信する特典情報受信手段と、を備える
ことを特徴とする請求項１乃至請求項３のいずれかに記載のモバイル端末。
【請求項５】
前記特典情報配信サーバは、さらに、
今の時刻が、前記目的駅に到着する到着予定時刻より早いか否かを判定する第５の判定手段、を備え、
前記特典情報記憶手段は、さらに、前記特典情報の特典度合を記憶し、
前記受信手段は、さらに、到着予定時刻を受信し、
前記特典情報配信手段は、今の時刻が、受信した前記到着予定時刻より早い場合には、前記駅名に対応する前記特典情報のうち、前記特典度合の高いものを配信し、
前記到着予定情報記憶手段は、さらに、前記目的駅への到着予定時刻を記憶し、
前記送信手段は、さらに、前記駅名とともに前記到着予定時刻を送信する
ことを特徴とする請求項４に記載のモバイル端末。
【請求項６】
前記目的駅の位置情報及び範囲情報を記憶する到着予定情報記憶手段を備えるモバイル端末が行う、電車に乗って移動するユーザが目的駅に到着したことを検知する到着自動検知方法であって、
加速度を検知する加速度検知ステップと、
検知した前記加速度の大きさが、第１の所定値以上か否かを判定する第１の判定ステップと、
前記第１の所定値以上と判定した場合に、所定の時間内、検知した前記加速度の大きさが、第２の所定値以下か否かを判定する第２の判定ステップと、
前記第２の所定値以下と判定した場合に、当該モバイル端末の位置情報を取得する位置情報取得ステップと、
取得した前記位置情報が、前記目的駅の範囲内にあるか否かを判定する第３の判定ステップと、
とを含むことを特徴とする到着自動検知方法。
【請求項７】
コンピュータを、電車に乗って移動するユーザが目的駅に到着したことを検知するモバイル端末として機能させるためのプログラムであって、
コンピュータを、
前記目的駅の位置情報及び範囲情報を記憶する到着予定情報記憶手段、
加速度を検知する加速度検知手段、
検知した前記加速度の大きさが、第１の所定値以上か否かを判定する第１の判定手段、
前記第１の所定値以上と判定した場合に、所定の時間内、検知した前記加速度の大きさが、第２の所定値以下か否かを判定する第２の判定手段、
前記第２の所定値以下と判定した場合に、当該モバイル端末の位置情報を取得する位置情報取得手段、
取得した前記位置情報が、前記目的駅の範囲内にあるか否かを判定する第３の判定手段、
として機能させるためのプログラム。
【請求項８】
電車に乗って移動するユーザが目的駅に到着したことを検知するモバイル端末と、特典情報配信サーバとが、ネットワークを介して接続された到着自動検知システムであって、
前記モバイル端末は、
前記目的駅の位置情報及び範囲情報を記憶する到着予定情報記憶手段と、
加速度を検知する加速度検知手段と、
検知した前記加速度の大きさが、第１の所定値以上か否かを判定する第１の判定手段と、
前記第１の所定値以上と判定した場合に、所定の時間内、検知した前記加速度の大きさが、第２の所定値以下か否かを判定する第２の判定手段と、
前記第２の所定値以下と判定した場合に、当該モバイル端末の位置情報を取得する位置情報取得手段と、
取得した前記位置情報が、前記目的駅の範囲内にあるか否かを判定する第３の判定手段と、
前記第３の判定手段が前記目的駅の範囲内にあると判定した場合に、当該目的駅の駅名を、前記特典情報配信サーバに送信する送信手段と、
前記特典情報配信サーバから、特典情報を受信する特典情報受信手段と、
を備え、
前記特典情報配信サーバは、
駅ごとに、駅名と当該駅の駅内又は周辺に位置する店舗に関する特典情報とを対応付けて記憶する特典情報記憶手段と、
前記モバイル端末から前記目的駅の駅名を受信する受信手段と、
受信した前記駅名に対応する前記特典情報を、前記モバイル端末に配信する特典情報配信手段と、
を備える
ことを特徴とする到着自動検知システム。
【請求項９】
電車に乗って移動するユーザが目的駅に到着したことを検知するモバイル端末に、特典情報を配信する特典情報配信サーバであって、
駅ごとに、駅名と当該駅の駅内又は周辺に位置する店舗に関する特典情報とを対応付けて記憶する特典情報記憶手段と、
前記モバイル端末から前記目的駅の駅名を受信する受信手段と、
受信した前記駅名に対応する前記特典情報を、前記モバイル端末に配信する特典情報配信手段と、
を備えることを特徴とする特典情報配信サーバ。
【請求項１０】
今の時刻が、前記目的駅に到着する到着予定時刻より早いか否かを判定する第５の判定手段を、さらに備え、
前記特典情報記憶手段は、さらに、前記特典情報の特典度合を記憶し、
前記受信手段は、さらに、到着予定時刻を受信し、
前記特典情報配信手段は、今の時刻が、受信した前記到着予定時刻より早い場合には、前記駅名に対応する前記特典情報のうち、前記特典度合の高いものを配信する
ことを特徴とする請求項９に記載の特典情報配信サーバ。
【発明の詳細な説明】
【技術分野】
【０００１】
本発明は、モバイル端末のユーザが目的地に到着したことを自動検知する技術に関し、さらに、到着した際に駅周辺の店舗の特典情報を配信する技術に関する。
【背景技術】
【０００２】
スマートフォンをはじめとするモバイル端末に、自身の居場所を検知するＧＰＳ（Global Positioning System）機能が付加されたことで、小売店舗などの事業者は、モバイル端末を常に保持しているユーザに対し、そのユーザの位置情報（居場所）に合わせた販促活動や来店誘導が可能になった。
【０００３】
近年では、ＬＢＳ（Location Based Service）として、ナビゲーションに限らず、交通や天気、ショッピングなど、その場所で活用できるサービスが各社からリリースされ、いかにユーザの居場所を捕捉できるかがカギとなっている。駅周辺店舗や駅なか店舗の場合には、電車利用に合わせて駅周辺を訪れたユーザをターゲットに、来店誘導を図る仕掛けにニーズがあると思われる。例えば、ユーザが駅に降りた直後に特典情報を配信し、行き先に向かう途中などで来店してもらうと、といったことが考えられる。この場合、ユーザの駅到着の検知が必要となる。
【０００４】
ユーザの駅到着を検知する方法として、例えば、特許文献１では、電車に乗って移動するユーザのモバイル端末のＧＰＳ機能により現在地を取得し、次の駅の駅サーバとの通信により、次の駅がどの駅なのかを把握する方法が提案されている。もし次の駅が降車予定駅ならば、続いてモバイル端末の加速度センサーを利用して、停車時にかかる加速度変化を検知することで、降車予定駅が近い旨をモバイル端末に通知することができる。
【０００５】
また、特許文献２に記載の技術では、ユーザが電車に乗車する前に予め、モバイル端末から下車駅を交通情報サーバに送信し、到着予定時刻と下車駅位置情報を受信する。そして、その到着予定時刻の一定時間前になった場合にのみ、モバイル端末のＧＰＳ機能を利用して、現在地の位置情報を把握する。その後は交通情報サーバにアクセスすることなく、現在地から下車駅までの距離を計算することで、下車駅近くかどうかの判定をすることができる。
【先行技術文献】
【特許文献】
【０００６】
【特許文献１】特開２００９−３００２１５号公報
【特許文献２】特開２０１０−２１９７６１号公報
【発明の概要】
【発明が解決しようとする課題】
【０００７】
しかしながら、上述の特許文献１では、次の駅が降車予定駅なのかどうか、常に駅サーバとの通信が必要となり、ノイズ等の影響により通信できないという問題がある。また、上述の特許文献２では、乗り間違え等があって時間を費やし到着予定時刻を超えてしまった場合には、ＧＰＳによる位置測定が無駄に発生する。
【０００８】
ここでＧＰＳによる位置測定のためには、通信基地局との通信、またはＧＰＳ衛星の捕捉が必要となるが、通信基地局との通信においては、電車移動中の通信となるためノイズ等の影響が大きく、またＧＰＳ衛星の捕捉においては、位置測定が完了するまでに時間が掛かってしまう。
【０００９】
本発明は、前述した問題点に鑑みてなされたものであり、その目的とすることは、電車に乗って移動するユーザが、事前にスケジュール登録した目的駅に到着したことを自動で検知し、到着を検知する際の位置測定回数を減らすことが可能なモバイル端末等を提供することである。
【課題を解決するための手段】
【００１０】
前述した目的を達成するための第１の発明は、電車に乗って移動するユーザが目的駅に到着したことを検知するモバイル端末であって、前記目的駅の位置情報及び範囲情報を記憶する到着予定情報記憶手段と、加速度を検知する加速度検知手段と、検知した前記加速度の大きさが、第１の所定値以上か否かを判定する第１の判定手段と、前記第１の所定値以上と判定した場合に、所定の時間内、検知した前記加速度の大きさが、第２の所定値以下か否かを判定する第２の判定手段と、前記第２の所定値以下と判定した場合に、当該モバイル端末の位置情報を取得する位置情報取得手段と、取得した前記位置情報が、前記目的駅の範囲内にあるか否かを判定する第３の判定手段と、を備えることを特徴とするモバイル端末である。
第１の発明によれば、モバイル端末に予め登録された目的駅に、モバイル端末のユーザが実際に到着したことを自動で検知することができる。目的駅に到着したことを自動検知するに当たり、モバイル端末の加速度センサーを利用し、移動中の電車の停車を検知した後に、一定時間電車の進行を検知しない場合に限り、モバイル端末の所在地の位置を測定する。これにより、できる限り位置測定の回数を減らすことができる。
【００１１】
また、前記到着予定情報記憶手段は、さらに、前記目的駅への到着予定日を記憶し、さらに、前記第２の判定手段が前記第２の所定値以下と判定した場合に、前記到着予定日が今日の日付と一致するか否かを判定する第４の判定手段、を備えることが望ましい。
これにより、スケジュール登録された当日に限り、モバイル端末の所在地の位置を測定するため、位置測定の回数を減らすことができる。
【００１２】
また、前記位置情報取得手段は、ＧＰＳ衛星と通信することで、当該モバイル端末の位置情報を取得することが望ましい。
位置情報を取得するに当たり、通信時のノイズ等がある場合や、位置測定時間が掛かる場合においても、本発明によって、位置測定の回数をできる限り少なくすること可能となり、到着検知の精度が高まる。
【００１３】
また、前記モバイル端末は、駅ごとに、駅名と当該駅の駅内又は周辺に位置する店舗に関する特典情報とを対応付けて記憶する特典情報記憶手段と、前記モバイル端末から前記目的駅の駅名を受信する受信手段と、受信した前記駅名に対応する前記特典情報を、前記モバイル端末に配信する特典情報配信手段と、を備える特典情報配信サーバと、ネットワークを介して接続され、さらに、前記第３の判定手段が前記目的駅の範囲内にあると判定した場合に、当該目的駅の駅名を、前記特典情報配信サーバに送信する送信手段と、前記特典情報配信サーバから、前記特典情報を受信する特典情報受信手段と、を備えることが望ましい。
これにより、モバイル端末が目的駅に到着したことを検知した場合、モバイル端末は、目的駅の周辺等に位置する店舗に関する特典情報を受信することができる。
【００１４】
また、前記特典情報配信サーバは、さらに、今の時刻が、前記目的駅に到着する到着予定時刻より早いか否かを判定する第５の判定手段、を備え、前記特典情報記憶手段は、さらに、前記特典情報の特典度合を記憶し、前記受信手段は、さらに、到着予定時刻を受信し、前記特典情報配信手段は、今の時刻が、受信した前記到着予定時刻より早い場合には、前記駅名に対応する前記特典情報のうち、前記特典度合の高いものを配信し、前記到着予定情報記憶手段は、さらに、前記目的駅への到着予定時刻を記憶し、前記送信手段は、さらに、前記駅名とともに前記到着予定時刻を送信することが望ましい。
これにより、モバイル端末が目的駅に到着したことを検知した場合、モバイル端末は、目的駅の周辺等に位置する店舗に関する特典情報であって、到着予定時刻に応じて、特典度合の異なるものを受信することができる。
【００１５】
第２の発明は、前記目的駅の位置情報及び範囲情報を記憶する到着予定情報記憶手段を備えるモバイル端末が行う、電車に乗って移動するユーザが目的駅に到着したことを検知する到着自動検知方法であって、加速度を検知する加速度検知ステップと、検知した前記加速度の大きさが、第１の所定値以上か否かを判定する第１の判定ステップと、前記第１の所定値以上と判定した場合に、所定の時間内、検知した前記加速度の大きさが、第２の所定値以下か否かを判定する第２の判定ステップと、前記第２の所定値以下と判定した場合に、当該モバイル端末の位置情報を取得する位置情報取得ステップと、取得した前記位置情報が、前記目的駅の範囲内にあるか否かを判定する第３の判定ステップと、とを含むことを特徴とする到着自動検知方法である。
第２の発明によれば、モバイル端末に予め登録された目的駅に、モバイル端末のユーザが実際に到着したことを自動で検知することができる。目的駅に到着したことを自動検知するに当たり、モバイル端末の加速度センサーを利用し、移動中の電車の停車を検知した後に、一定時間電車の進行を検知しない場合に限り、モバイル端末の所在地の位置を測定する。これにより、できる限り位置測定の回数を減らすことができる。
【００１６】
第３の発明は、コンピュータを、電車に乗って移動するユーザが目的駅に到着したことを検知するモバイル端末として機能させるためのプログラムであって、
コンピュータを、前記目的駅の位置情報及び範囲情報を記憶する到着予定情報記憶手段、加速度を検知する加速度検知手段、検知した前記加速度の大きさが、第１の所定値以上か否かを判定する第１の判定手段、前記第１の所定値以上と判定した場合に、所定の時間内、検知した前記加速度の大きさが、第２の所定値以下か否かを判定する第２の判定手段、前記第２の所定値以下と判定した場合に、当該モバイル端末の位置情報を取得する位置情報取得手段、取得した前記位置情報が、前記目的駅の範囲内にあるか否かを判定する第３の判定手段、として機能させるためのプログラムである。
第３の発明に係るプログラムを、モバイル端末等にインストールすることによって、第１の発明を得て、第２の方法を実行することができる。
【００１７】
第４の発明は、電車に乗って移動するユーザが目的駅に到着したことを検知するモバイル端末と、特典情報配信サーバとが、ネットワークを介して接続された到着自動検知システムであって、前記モバイル端末は、前記目的駅の位置情報及び範囲情報を記憶する到着予定情報記憶手段と、加速度を検知する加速度検知手段と、検知した前記加速度の大きさが、第１の所定値以上か否かを判定する第１の判定手段と、前記第１の所定値以上と判定した場合に、所定の時間内、検知した前記加速度の大きさが、第２の所定値以下か否かを判定する第２の判定手段と、前記第２の所定値以下と判定した場合に、当該モバイル端末の位置情報を取得する位置情報取得手段と、取得した前記位置情報が、前記目的駅の範囲内にあるか否かを判定する第３の判定手段と、前記第３の判定手段が前記目的駅の範囲内にあると判定した場合に、当該目的駅の駅名を、前記特典情報配信サーバに送信する送信手段と、前記特典情報配信サーバから、特典情報を受信する特典情報受信手段と、を備え、前記特典情報配信サーバは、駅ごとに、駅名と当該駅の駅内又は周辺に位置する店舗に関する特典情報とを対応付けて記憶する特典情報記憶手段と、前記モバイル端末から前記目的駅の駅名を受信する受信手段と、受信した前記駅名に対応する前記特典情報を、前記モバイル端末に配信する特典情報配信手段と、を備えることを特徴とする到着自動検知システムである。
第４の発明によれば、モバイル端末に予め登録された目的駅に、モバイル端末のユーザが実際に到着したことを自動で検知することができる。また、モバイル端末が目的駅に到着したことを検知した場合、モバイル端末は、目的駅の周辺等に位置する店舗に関する特典情報を受信することができる。
【００１８】
第５の発明は、電車に乗って移動するユーザが目的駅に到着したことを検知するモバイル端末に、特典情報を配信する特典情報配信サーバであって、駅ごとに、駅名と当該駅の駅内又は周辺に位置する店舗に関する特典情報とを対応付けて記憶する特典情報記憶手段と、前記モバイル端末から前記目的駅の駅名を受信する受信手段と、受信した前記駅名に対応する前記特典情報を、前記モバイル端末に配信する特典情報配信手段と、を備えることを特徴とする特典情報配信サーバである。
第５の発明によれば、特典情報配信サーバは、目的駅の周辺等に位置する店舗に関する特典情報をモバイル端末に配信することができる。
【００１９】
また、今の時刻が、前記目的駅に到着する到着予定時刻より早いか否かを判定する第５の判定手段を、さらに備え、前記特典情報記憶手段は、さらに、前記特典情報の特典度合を記憶し、前記受信手段は、さらに、到着予定時刻を受信し、前記特典情報配信手段は、今の時刻が、受信した前記到着予定時刻より早い場合には、前記駅名に対応する前記特典情報のうち、前記特典度合の高いものを配信することが望ましい。
これにより、特典情報配信サーバは、目的駅の周辺等に位置する店舗に関する特典情報であって、モバイル端末の到着予定時刻に応じて、特典度合の異なるものをモバイル端末に配信することができる。
【発明の効果】
【００２０】
本発明によれば、電車に乗って移動するユーザが、事前にスケジュール登録した目的駅に到着したことを自動で検知し、到着を検知する際の位置測定回数を減らすことが可能なモバイル端末等を提供することができる。
【図面の簡単な説明】
【００２１】
【図１】到着自動検知システム１００の全体構成図
【図２】場所管理サーバ１（特典情報配信サーバ３）のハードウエアの構成例を示すブロック図
【図３】モバイル端末２のハードウエアの構成例を示すブロック図
【図４】場所管理サーバ１が記憶するデータ構成の一例を示す図
【図５】モバイル端末２が記憶するデータ構成の一例を示す図
【図６】特典情報配信サーバ３が記憶するデータ構成の一例を示す図
【図７】モバイル端末２にスケジュールアプリケーションをインストールする処理の詳細を示すフローチャート
【図８】モバイル端末２にスケジュール情報を登録する処理の詳細を示すフローチャート
【図９】特典情報配信処理の詳細を示すフローチャート
【図１０】特典情報が表示されるモバイル端末２の画面例を示す図
【発明を実施するための形態】
【００２２】
以下、図面に基づいて、本発明の実施形態を詳細に説明する。
【００２３】
＜本発明の実施形態＞
本発明の実施形態の到着自動検知システム１００は、以下の手順により、モバイル端末２を所有するユーザが電車から下車したか否かを判断した後に、モバイル端末２の所在位置の位置情報を取得し、下車した駅が目的駅であるか否かを判断する。モバイル端末２にて下車した駅が目的駅であると判断された場合に、特典情報配信サーバ３は駅周辺店舗や駅なか店舗の特典情報をモバイル端末２に配信する。
【００２４】
（ａ）モバイル端末２にスケジュールアプリケーションをインストールする。
（ｂ）モバイル端末２に事前にインストールされる既存の駅経路探索アプリケーションにて駅経路が探索されると、モバイル端末２は、モバイル端末２のスケジュールアプリケーションを起動して、結果の情報（「目的駅」、「到着日」、「到着予定時刻」）を到着予定情報データベース３３に登録する。次に、モバイル端末２は、場所管理サーバ１から「目的駅」の「緯度・経度情報（中心）」と「駅エリア半径」を受信し、到着予定情報データベース３３に登録する。
（ｃ）以下の順序で、条件が全て満たされた場合に、モバイル端末２は、ユーザが目的駅に到着したと判定し、特典情報配信サーバ３は、特典情報を該当するモバイル端末２に配信する。
【００２５】
（条件１）モバイル端末２の加速度センサー２７が、移動中の電車の停車に相当する急激な変化を検知する。
（条件２）条件１をクリアした後に、ある一定時間、モバイル端末２の加速度センサー２７が急激な変化を検知しない。
（条件３）到着予定情報データベース３３に登録される「到着日」が、今日の日付と一致する。
（条件４）モバイル端末２のＧＰＳ部２６より所在地の位置情報を取得し、取得した位置情報が到着予定情報データベース３３に登録される「目的駅」の「駅エリア半径」内である。
【００２６】
更に、（条件４）をクリアした後に、以下の（条件５）を満たした場合には、来店誘導の可能性を高めるために、特典情報配信サーバ３は特典度合の高い情報を該当するモバイル端末２に配信する。
（条件５）到着予定情報データベース３３に登録される「到着予定時刻」が、現在時刻より早い。
【００２７】
図１は、到着自動検知システム１００の全体構成図である。
図１に示すように、到着自動検知システム１００は、場所管理サーバ１、ユーザが利用するモバイル端末２（２ａ、２ｂ）、特典情報配信サーバ３、モバイル端末２が通話やデータの通信のため無線で接続する通信基地局４、及びこれらが接続するネットワーク５で構成されている。
【００２８】
場所管理サーバ１は、図４に示す駅エリアデータベース３１と、スケジュールアプリケーションをモバイル端末２にインストールするのに必要となるスケジュールアプリケーション用データベースを保持する。詳細は後述する。
【００２９】
モバイル端末２は、スケジュールアプリケーションの会員ユーザが使用するＰＤＡ（personal digital assistant）、スマートフォン、携帯電話、携帯ゲーム端末等である。モバイル端末２は、通信基地局４を介してネットワーク５上の場所管理サーバ１及び特典情報配信サーバ３にアクセスして、情報を送受信し、種々の処理を実行する。詳細は後述する。
【００３０】
特典情報配信サーバ３は、図６に示すクーポン情報データベース３６を記憶し、モバイル端末２にて目的駅に到着したと判断された場合に、特典情報（クーポン）を送信する。詳細は後述する。
【００３１】
図２は、場所管理サーバ１（特典情報配信サーバ３）のハードウエア構成例を示すブロック図である。場所管理サーバ１（特典情報配信サーバ３）のコンピュータは、図２に示すように、例えば、制御部１１、記憶部１２、メディア入出力部１３、通信制御部１４、入力部１５、表示部１６、周辺機器Ｉ／Ｆ部１７等が、バス１８を介して接続されて構成される。
【００３２】
制御部１１は、ＣＰＵ（Central
Processing Unit）、ＲＯＭ（Read Only Memory）、ＲＡＭ（Random Access Memory）等により構成される。
ＣＰＵは、記憶部１２、ＲＯＭ、記憶媒体等に格納されるプログラムをＲＡＭ上のワークメモリ領域に呼び出して実行し、バス１８を介して接続された各装置を駆動制御し、場所管理サーバ１（特典情報配信サーバ３）が行う後述する処理を実現する。ＲＯＭは、不揮発性メモリであり、コンピュータのブートプログラムやＢＩＯＳ等のプログラム、データ等を恒久的に保持する。ＲＡＭは、揮発性メモリであり、ロードしたプログラムや、データ等を一時的に保持すると共に、制御部１１が各処理を行うために使用するワークエリアを備える。
【００３３】
記憶部１２は、ＨＤＤ（Hard
Disk Drive）等であり、制御部１１が実行するプログラムや、プログラム実行に必要なデータ、ＯＳ（Operating
System）、等が格納されている。これらのプログラムコードは、制御部１１により必要に応じて読み出されてＲＡＭに移され、ＣＰＵに読み出されて実行される。
【００３４】
メディア入出力部１３は、例えば、ＣＤドライブ、ＤＶＤドライブ、ＭＯドライブ、フロッピー（登録商標）ディスクドライブ、等のメディア入出力装置であり、データの入出力を行う。
通信制御部１４は、通信制御装置、通信ポート等を有し、場所管理サーバ１（特典情報配信サーバ３）とネットワーク５間の通信を媒介する通信インターフェースであり、ネットワーク５を介して、他の装置間との通信制御を行う。
【００３５】
入力部１５は、データ入力を行い、例えば、キーボード、マウスなどのポインティングデバイス、テンキーなどの入力装置を有する。入力されたデータを制御部１１へ出力する。
表示部１６は、例えば、ＣＲＴモニタ、液晶パネル等のディスプレイ装置と、ディスプレイ装置と連携して表示処理を実行するための論理回路（ビデオアダプタ等）で構成され、制御部１１の制御により入力された表示情報をディスプレイ装置上に表示させる。
【００３６】
周辺機器Ｉ／Ｆ（インターフェース）１７部は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は、有線、無線を問わない。
バス１８は、各装置間の制御信号、データ信号等の授受を媒介する経路である。
【００３７】
図３は、モバイル端末２のハードウエアの構成例を示すブロック図である。
【００３８】
制御部２１は、プログラムの実行を行うＣＰＵ（Central Processing Unit）、プログラム命令やデータ等を格納するＲＯＭ（Read Only Memory）、一時的な作業用のデータ等を格納するＲＡＭ（Random
Access Memory）等により構成される。
制御部２１の処理により、モバイル端末２は通話機能のほかブラウザ機能、メール機能などを発揮する。
【００３９】
記憶部２２は、制御部２１が処理する情報のほか、モバイル端末２にインストールされているアプリケーションプログラムや、電話番号及びメールアドレスのアドレス帳データ等を記憶する。
無線通信部２３は、アンテナ（図示せず）を有し、制御部２１の制御により、外部の通信機器と音声通信や情報通信を行うもので、アンテナを介して通信基地局４に接続して、モバイル端末２とネットワーク５上の場所管理サーバ１、特典情報配信サーバ３との通信を仲介する。
【００４０】
入力部２４は、ボタンやタッチパネルなどであり、ユーザによって操作されて、データ入力が行われる。また、マイクなどの音声入力手段（図示せず）で、音声による入力を行ってもよい。入力されたデータを制御部２１へ出力する。
表示部２５は、有機ＥＬパネル、液晶パネル等であり、制御部２１から送られた表示情報を表示する。なお、入力部２４と表示部２５とを一体化させて、例えば、タッチパネル式の入出力装置を採用してもよい。
【００４１】
ＧＰＳ部２６は、アンテナ（図示せず）を有し、制御部２１の制御により、外部装置（図示せず）と通信を行う。ここで、外部装置とは、ＧＰＳ衛星、又は、通信基地局４である。ＧＰＳ部２６は、外部装置からモバイル端末２の位置情報を受信する。ＧＰＳ部２６は、受信した位置情報を制御部２１へ出力する。
加速度センサー２７は、制御部２１の制御により、モバイル端末２の移動情報（加速度）を検知して数値化する。検知した数値は、結果を制御部２１へ出力する。
バス２８は、各装置間の制御信号、データ信号等の授受を媒介する経路である。
【００４２】
図４は、場所管理サーバ１の記憶部１２に記憶されるデータ構成の一例である。場所管理サーバ１の記憶部１２は、駅エリアデータベース３１と、スケジュールアプリケーション用データベース（図示せず）を保持する。
【００４３】
駅エリアデータベース３１には、図４に示す様に、「駅ＩＤ」、「駅名」、「緯度・経度情報（中心）」、「駅エリア半径」等が予め駅毎に記憶されている。「駅ＩＤ」とは、駅を一意に識別するための識別子であり、「駅名」とは、駅の名称であり、「緯度・経度情報（中心）」とは、その駅の中心部の位置情報であり、「駅エリア半径」とは、その駅の駅エリア範囲を示す情報であり、「緯度・経度情報（中心）」を中心とする半径で表される。
なお、本実施形態では、駅エリアを、駅の経度・緯度による中心と、その半径で表したが、これに限られるものではない。駅エリアを、円形ではなく、複数の経度・緯度による領域で表してもよい。
【００４４】
図５は、モバイル端末２の記憶部２２に記憶されるデータ構成の一例である。モバイル端末２の記憶部２２は、図５（ａ）に示す到着予定情報データベース３３と、図５（ｂ）に示す判定用基準情報３４と、駅経路探索アプリケーションと、スケジュールアプリケーションと、を保持する。
【００４５】
到着予定情報データベース３３には、「経路検索ＩＤ」、「目的駅」、「到着日」、「到着予定時刻」、「経度・緯度情報（中心）」、「駅エリア半径」等のスケジュール情報が記憶される。到着予定情報データベース３３に記憶される情報は、駅経路探索アプリケーションにて駅経路が探索される毎に追加される。尚、到着予定情報データベース３３は、記憶部２２に記憶せず、制御部２１のＲＡＭに一時的に保存するものであっても良い。
【００４６】
「経路検索ＩＤ」は、駅経路探索アプリケーションで検索される毎に生成される識別子である。「目的駅」は、駅経路探索アプリケーションで検索された目的駅である。「到着日」及び「到着予定時刻」は、駅経路探索アプリケーションで検索された到着日及び到着予定時刻である。
「緯度・経度情報（中心）」（位置情報）は、駅エリアデータベース３１において、「駅名」が「目的駅」と一致する駅の緯度・経度情報（中心）である。「駅エリア半径」は、駅エリアデータベース３１において、「駅名」が「目的駅」と一致する駅の駅エリア半径である。
【００４７】
判定用基準情報３４には、「急激な加速度の最小値」、「一定時間」等の情報が予め記憶される。「急激な加速度の最小値」とは、電車内のモバイル端末２が、電車の進行状態からの停止時、又は停止状態からの進行時に受ける急激な加速度の最小値を絶対値で表したものであり、単位は重力加速度である。「一定時間」とは、電車が駅にて停車する時間に相当する。
【００４８】
駅経路探索アプリケーションとは、出発駅と目的駅と、出発予定時刻又は到着予定時刻等の情報の入力を受付けると、公共交通機関を利用した経路、到着予定時刻等を提示する既存のアプリケーションであり、例えば、「駅探−乗換案内Androidアプリ」等がある。駅経路探索アプリケーションは、事前にネットワーク５上の駅経路探索サーバ（図示せず）からダウンロードされて、モバイル端末２の記憶部２２にインストールされている。
【００４９】
スケジュールアプリケーションは、図７に示す処理が実行されて、モバイル端末２にスケジュールアプリケーションがインストールされた場合に、モバイル端末２の記憶部２２に記憶される。
【００５０】
図６は、特典情報配信サーバ３の記憶部１２に記憶されるデータ構成の一例である。特典情報配信サーバ３の記憶部１２は、クーポン情報データベース３６を保持する。
【００５１】
クーポン情報データベース３６には、「クーポンＩＤ」、「クーポン情報」、「駅名」、「特典度合」等の情報がクーポン毎に予め記憶されている。「クーポンＩＤ」とは、クーポンを一意に識別するための識別子であり、「クーポン情報」とは、クーポンに関する詳細情報である。「駅名」は、駅の名称であり、「特典度合」には、例えば、そのクーポンの特典度合が高い場合に「１」以上の値が格納される。ここで、クーポン情報データベース３６は、「特典度合」を保持しなくても良い。
【００５２】
続いて、モバイル端末２にスケジュールアプリケーションをインストールする処理について図７を参照して説明する。
【００５３】
図７に示すように、モバイル端末２の制御部２１は、ネットワーク５を介して場所管理サーバ１のサイトにアクセスし、場所管理サーバ１にスケジュールアプリケーションのダウンロードを要求する（ステップＳ１０１）。モバイル端末２の制御部２１は、メールや２次元バーコード等により、スケジュールアプリケーションをダウンロードするための初期ＵＲＬを取得して、場所管理サーバ１にアクセスしても良い。
【００５４】
場所管理サーバ１の制御部１１は、モバイル端末２から送信されるパラメータから不正等が行われていないかどうか判断し、モバイル端末２にスケジュールアプリケーションのダウンロードを許可する（ステップＳ１０２）
【００５５】
モバイル端末２の制御部２１は、場所管理サーバ１の記憶部１２に記憶されるスケジュールアプリケーション用データベースから、スケジュールアプリケーションをダウンロードして、モバイル端末２の記憶部２２にインストールして（ステップＳ１０３）、処理を終了する。
【００５６】
以上のようにして、モバイル端末２には、場所管理サーバ１からスケジュールアプリケーションがダウンロードされて、実行可能な状態にインストールされる。
【００５７】
次に、モバイル端末２にスケジュール情報を登録する処理（以下、スケジュール登録処理と表記）について、図８を参照して説明する。スケジュール登録処理とは、モバイル端末２にて駅経路が探索された場合に、モバイル端末２の制御部２１と、場所管理サーバ１の制御部１１とによって実行される処理である。
【００５８】
モバイル端末２の制御部２１は、記憶部２２に記憶される駅経路探索アプリケーションを起動する。モバイル端末２の表示部２５は、駅経路探索画面（図示せず）を表示し、モバイル端末２の入力部２４は、ユーザの行き先にある「目的駅」、「到着日」及び「到着予定時刻」の入力を受付け、モバイル端末２の制御部２１は、駅経路探索サーバ（図示せず）にアクセスして、「目的駅」までの経路の探索結果を取得する（ステップＳ２０１）。モバイル端末２の制御部２１は、探索結果を表示部２５に表示する。
【００５９】
モバイル端末２の制御部２１は、記憶部２２に記憶されるスケジュールアプリケーションを起動する（ステップＳ２０２）。
【００６０】
モバイル端末２の制御部２１は、スケジュールアプリケーションを介して、ステップＳ２０１にて探索された結果に対応する「経路探索ＩＤ」を生成し、生成された「経路探索ＩＤ」と、ステップＳ２０１にて入力された「目的駅」、「到着日」及び「到着予定時刻」とを、スケジュール情報として記憶部２２の到着予定情報データベース３３に記憶させる（ステップＳ２０３）。
【００６１】
モバイル端末２の制御部２１は、ステップＳ２０３にて到着予定情報データベース３３に記憶した「目的駅」を、場所管理サーバ１に送信する（ステップＳ２０４）。
【００６２】
場所管理サーバ１の制御部１１は、モバイル端末２からスケジュール登録された「目的駅」を受信する（ステップＳ２０５）。
【００６３】
場所管理サーバ１の制御部１１は、記憶部１２に記憶される駅エリアデータベース３１から、駅エリアデータベース３１の「駅名」が受信した「目的駅」と一致する「駅ＩＤ」の「緯度・経度情報（中心）」と「駅エリア半径」とを、抽出する（ステップＳ２０６）。
【００６４】
場所管理サーバ１の制御部１１は、抽出した「緯度・経度情報（中心）」と「駅エリア半径」とを、モバイル端末２に送信する（ステップＳ２０７）。
【００６５】
モバイル端末２の制御部２１は、場所管理サーバ１から「緯度・経度情報（中心）」と「駅エリア半径」とを受信する（ステップＳ２０８）。
【００６６】
モバイル端末２の制御部２１は、スケジュールアプリケーションを介して、受信した「緯度・経度情報（中心）」と「駅エリア半径」とを、該当する「目的駅」のスケジュール情報として、到着予定情報データベース３３に追加して記憶部２２に記憶させて（ステップＳ２０９）、処理を終了する。
【００６７】
以上のようにして、モバイル端末２は、駅経路探索アプリケーションを利用して駅経路が探索されると、スケジュールアプリケーションを起動して、探索された「目的駅」と「到着日」と「到着予定時刻」とを到着予定情報データベース３２に登録する。続いて、モバイル端末２は、場所管理サーバ１にアクセスし、場所管理サーバ１は、受信した「目的駅」に該当する「緯度・経度情報（中心）」と「駅エリア半径」とを抽出して、モバイル端末２に送信する。モバイル端末２は、受信した「緯度・経度情報（中心）」と「駅エリア半径」とを、到着予定情報データベース３２に追加して記憶する。
【００６８】
図９は、特典情報配信処理の詳細を示すフローチャートである。特典配信処理とは、図８に示すスケジュール登録処理を実行して、モバイル端末２に新たにスケジュール情報が登録された後に、モバイル端末２の制御部２１と、特典情報配信サーバ３の制御部１１とによって実行される処理である。
【００６９】
また、この処理は、モバイル端末２のユーザが乗車している電車が目的駅で停車し、モバイル端末２のユーザが電車から下車して、モバイル端末２が、特典情報配信サーバ３から、クーポン情報を受信する状況において行われる処理である。
【００７０】
モバイル端末２の制御部２１は、スケジュールアプリケーションを起動し、スケジュールアプリケーションを介して、加速度センサー２７を起動する（ステップＳ３０１）。
【００７１】
モバイル端末２の制御部２１は、加速度センサー２７が急激な変化を検知したか否かを判断する（ステップＳ３０２）。即ち、モバイル端末２の制御部２１は、加速度センサー２７から出力された加速度の絶対値が、記憶部２２の判定用基準情報３４に記憶される「急激な加速度の最小値」を超えるか否かを判断する。
【００７２】
急激な変化を検知しない場合には（ステップＳ３０２のＮＯ）、モバイル端末２の制御部２１は、ステップＳ３０１に戻る。
【００７３】
急激な変化を検知した場合（ステップＳ３０２のＹＥＳ）、モバイル端末２の制御部２１は、加速度センサー２７が、ステップＳ３０１にて急激な変化を検知してから一定時間内に再び急激な変化を検知しないか否かを判断する（ステップＳ３０３）。即ち、モバイル端末２の制御部２１は、「急激な加速度の最小値」を超える加速度を検知した時点から、判定用基準情報３４に記憶される「一定時間」内に、「急激な加速度の最小値」を超える加速度が、再び加速度センサー２７にて検知されるか否かを判断する。
【００７４】
一定時間内に再び急激な変化が検知された場合には（ステップＳ３０３のＮＯ）、モバイル端末２の制御部２１は、ステップＳ３０１に戻る。
【００７５】
一定時間内に急激な変化を検知しない場合には（ステップＳ３０３のＹＥＳ）、モバイル端末２の制御部２１は、到着予定情報データベース３３の「到着日」が今日の日付と一致するか否かを判断する（ステップＳ３０４）。
【００７６】
「到着日」が今日の日付と一致しない場合には（ステップＳ３０４のＮＯ）、モバイル端末２の制御部２１は、ステップＳ３０１に戻る。
【００７７】
「到着日」が今日の日付と一致する場合には（ステップＳ３０４のＹＥＳ）、モバイル端末２の制御部２１は、スケジュールアプリケーションを介して、ＧＰＳ部２６を起動し、ＧＰＳ部２６は、通信基地局４またはＧＰＳ衛星（図示せず）と通信して、現在地情報を取得して、制御部２１に出力する（ステップＳ３０５）。
【００７８】
モバイル端末２の制御部２１は、到着予定情報データベース３３を参照して、ステップＳ３０５にて取得した現在地情報が、ステップＳ３０４にて「到着日」が今日の日付と一致したスケジュール情報の「緯度・経度情報（中心）」を中心とした「駅エリア半径」内にあるか否かを判断する（ステップＳ３０６）。
【００７９】
現在地情報が駅エリア内にない場合には（ステップＳ３０６のＮＯ）、モバイル端末２の制御部２１は、ステップＳ３０１に戻る。
【００８０】
現在地情報が駅エリア内にある場合には（ステップＳ３０６のＹＥＳ）、モバイル端末２の制御部２１は、到着予定情報データベース３３から、該当するスケジュール情報の「目的駅」と「到着予定時刻」を検索し、特典情報配信サーバ３に、検索された「目的駅」と「到着予定時刻」を送信する（ステップＳ３０７）。
【００８１】
特典情報配信サーバ３の制御部１１は、モバイル端末２から「目的駅」と「到着予定時刻」を受信し（ステップＳ３０８）、「到着予定時刻」を今の時刻と照合する（ステップＳ３０９）。
【００８２】
今の時刻が「到着予定時刻」より早い場合には（ステップＳ３０９のＹＥＳ）、特典情報配信サーバ３の制御部１１は、クーポン情報データベース３６から、クーポン情報データベース３６の「駅名」と、受信した「目的駅」とが一致する「クーポン情報」を抽出して、抽出した「クーポン情報」の中から「特典度合」の高い「クーポン情報」を検索して（ステップＳ３１０）、ステップＳ３１２に進む。
【００８３】
今の時刻が「到着予定時刻」より遅い場合には（ステップＳ３０９のＮＯ）、特典情報配信サーバ３の制御部１１は、クーポン情報データベース３６から、クーポン情報データベース３６の「駅名」と、受信した「目的駅」とが一致する「クーポン情報」を抽出して、抽出した「クーポン情報」の中から「特典度合」の低い「クーポン情報」を検索する（ステップＳ３１１）。
【００８４】
なお、クーポン情報データベース３６に「特典度合」が記憶されていない場合には、特典情報配信サーバ３の制御部１１は、クーポン情報データベース３６から、クーポン情報データベース３６の「駅名」と、受信した「目的駅」とが一致する「クーポン情報」を検索するのみで良い。
【００８５】
特典情報配信サーバ３の制御部１１は、検索された「クーポン情報」を、モバイル端末２に送信する（ステップＳ３１２）。
【００８６】
モバイル端末２の制御部２１は、特典情報配信サーバ３から「クーポン情報」を受信し（ステップＳ３１２）、表示部２５に図１０に示す特典情報表示画面４０（４０ａ、４０ｂ）を表示して（ステップＳ３１３）、処理を終了する。
【００８７】
なお、特典情報配信処理の詳細は、前述のものに限られない。
例えば、ステップＳ３０９において、今の時刻が「到着予定時刻」より早い場合とそうでない場合とで場合分けをしたが、今の時刻が「到着予定時刻」より所定時間早い場合とそうでない場合とで場合分けをしてもよい。
こうすることにより、より時間に余裕のあるユーザに、特典度合の高いクーポン情報を配信することができる。
【００８８】
また、例えば、ステップＳ３０４と、ステップＳ３０５及びステップＳ３０６との処理は、いずれを先に行ってもよい。
また、例えば、ステップＳ３０２と、ステップＳ３０３において、「急激な加速度の最小値」に同じ値を用いたが、異なる加速度の最小値を用いてもよい。
【００８９】
また、例えば、ステップＳ３０２において、モバイル端末２の制御部２１は、加速度の絶対値の大きさと合わせて、加速度の向きがモバイル端末２のユーザの乗車している電車の進行方向とは反対方向（正確に反対方向でなくてもよい）であることも、判断してもよい。
【００９０】
図１０は、特典情報が表示されるモバイル端末２の画面例を示す。図１０（ａ）に示す特典情報表示画面４０ａには、クーポン概要情報４１ａとクーポン詳細情報４２ａが配置される。特典情報表示画面４０ａは、特典度合の低いクーポン情報を表示した画面である。図１０（ｂ）に示す特典情報表示画面４０ｂは、特典度合の高いクーポン情報を表示した画面である。
【００９１】
以上のようにして、モバイル端末２は、加速度センサー２７が、移動中の電車の停車に相当する急激な変化を検知した後に、一定時間、モバイル端末２の加速度センサー２７が急激な変化を検知しない場合に、到着予定情報データベース３３に登録される「到着日」が、今日の日付と一致するか否かを判定する。モバイル端末２は、上記の条件が全てクリアされた場合のみ、ＧＰＳ部２６を起動して、現在地情報を取得する。従って、現在地情報を取得する回数を少なくすることができる。
【００９２】
モバイル端末２は、取得した現在地情報が到着予定情報データベース３３に登録される「緯度・経度情報（中心）」を中心とした「駅エリア半径」内である場合に、モバイル端末２のユーザが「目的駅」に到着したと判断する。
【００９３】
更に、モバイル端末２は特典情報配信サーバ３に「目的駅」と「到着予定時刻」を送信し、特典情報配信サーバ３は、「到着予定時刻」が今の時刻より早い場合に、特典度合の高い特典情報を配信する。
【００９４】
以上、添付図面を参照しながら、本発明に係る到着自動検知システム１００等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００９５】
１００………到着自動検知システム
１………場所管理サーバ
２（２ａ、２ｂ）………モバイル端末
３………特典情報配信サーバ
４………通信基地局
５………ネットワーク
１１、２１………制御部
１２、２２………記憶部
１３………メディア入出力部
１４………通信制御部
１５、２４………入力部
１６、２５………表示部
１７………周辺機器Ｉ／Ｆ部
２３………無線通信部
２６………ＧＰＳ部
２７………加速度センサー
３１………駅エリアデータベース
３３………到着予定情報データベース
３４………判定用基準情報
３６………クーポン情報データベース
４０（４０ａ、４０ｂ）………特典情報表示画面
【図１】
2014183525.tif 000003
【図２】
2014183525.tif 000004
【図３】
2014183525.tif 000005
【図４】
2014183525.tif 000006
【図５】
2014183525.tif 000007
【図６】
2014183525.tif 000008
【図７】
2014183525.tif 000009
【図８】
2014183525.tif 000010
【図９】
2014183525.tif 000011
【図１０】
2014183525.tif 000012